(57)【要約】    【課題】  履物の足前部挿入部又は内底部等を洗浄するための十分な前後方向動作を行い得る柄付き洗浄具の提供。    【解決手段】  本体部Ｂは、前端部Ｂ３から後方に向かって前後水平方向に沿い、後端部は後上方に向かって屈曲して突起部Ｂ１を形成している。本体部Ｂの柄部Ｄ結合部を除く全外周部に洗浄域Ａを有する。柄部Ｄの先端部Ｄ１は、本体部Ｂの後端部の突起部Ｂ１の上端部に連結し、後上方に伸びている。本体部Ｂにおける下側の洗浄域Ａの後端部から、柄部Ｄが本体部Ｂの前端部Ｂ３の上下方向寸法Ｈの２倍の高さ以上の高さになる前後方向位置までの後向きの水平距離Ｌは、本体部Ｂの前端部Ｂ３の上下方向寸法Ｈの２倍以下である。【選択図】      図１
2020151405.tif 000002
【特許請求の範囲】
【請求項１】
足の足首より前の部分である足前部を挿入し得る足前部挿入部と、前記足前部挿入部に前記足前部を挿入した状態で足裏を上向きに支持し得る内底部と、その内底部の後端部から立ち上がる後端立上部と、前記足前部挿入部と前記後端立上部の間の内底部から少なくとも上方に開放している上方開放部を備える履物の前記足前部挿入部及び内底部の洗浄に用いることができる柄付き洗浄具であって、
少なくとも前記足前部挿入部及び内底部を洗浄するための洗浄域を上側及び下側に有する本体部と、
その本体部の後部に先端部が位置し、前記本体部よりも後上方に把持部が位置する柄部を備え、
本体部における下側の洗浄域の後端部から、柄部又は本体部が本体部の前端部の上下方向寸法の２倍以上の高さになる前後方向位置までの後向きの水平距離が、前記本体部の前端部の上下方向寸法の２倍未満であることにより、本体部の洗浄域により前記履物の足前部挿入部又は内底部を洗浄するための本体部の前後方向動作が前記履物の後端立上部により妨げられることが防がれることを特徴とする柄付き洗浄具。
【請求項２】
上記上側の洗浄域のうち後部が、後方に向かって全体として又は部分的に上昇するものである請求項１記載の柄付き洗浄具。
【請求項３】
上記下側の洗浄域のうち後部が、後方に向かって全体として又は部分的に上昇するものである請求項１又は２記載の柄付き洗浄具。
【請求項４】
上記下側の洗浄域の後端部が、後方に凸の状態で後上方に湾曲するものである請求項１乃至３の何れか１項に記載の柄付き洗浄具。
【請求項５】
上記本体部は、上側及び下側以外の部分にも又は全体に洗浄域を有する請求項１乃至４の何れか１項に記載の柄付き洗浄具。
【請求項６】
上記本体部の横幅が、前部において後方部よりも広く形成されている請求項１乃至５の何れか１項に記載の柄付き洗浄具。
【請求項７】
上記柄部は、履物の足前部挿入部や内底部の洗浄作業において柄部自体又は柄部を把持する作業者の手に対し履物の後端立上部が妨げとなることを回避する上で、全体又は部分が、上向きに凸又は前上方向きに凸の形状をなすものである請求項１乃至６の何れか１項に記載の柄付き洗浄具。
【発明の詳細な説明】
【技術分野】
【０００１】
本発明は、履物を洗浄するための柄付き洗浄具に関する。
【背景技術】
【０００２】
実用新案登録第３２０７７２９号公報には、本体部１と、本体部１に取り付ける洗浄部２とから構成された洗浄用具が開示されている。
【０００３】
本体部１は、緩やかに湾曲した柄部３と、この柄部３の後端に設けた引掛部４と、柄部３の先端から幅広に膨出する膨出部５と、膨出部５の中央であって、柄部３の先端から突出した基体部６とから構成されている。
【０００４】
本体部１における柄部３の先端から突出する基体部６の片面には、多数本の硬質の線状樹脂によるブラシ体９が設けられている。
【０００５】
洗浄部２は柔軟な合成樹脂から成る繊維体１１をＵ字状に湾曲してたわし状にしたものであり、洗浄部２の両端から突出した針金を膨出部５に設けた挿入孔部に挿入することにより、基体部６の周囲を取り囲むように本体部１に固定されている。
【０００６】
柄部３は、本体部１における膨出部５の後端から後上方に向かって緩やかな傾斜で伸びるものである。
【０００７】
この洗浄用具によれば、運動靴等について、その外側部分の洗浄を行うことができるほか、足を挿入する部分に洗浄部２を挿入することにより、その足を挿入する部分の上下及び側部、すなわち内底部、甲部の内側及び側部の内側を洗浄することができる。また、運動靴等の履き口部の両内側、後端立上部の内側及び内底部については、洗浄部２のみを履き口部に挿入して洗浄することができる。
【０００８】
しかしながら、この洗浄用具は、洗浄部２を運動靴等の足を挿入する部分に挿入した状態で、十分に前後に摺動させてその足を挿入する部分の上下及び側部並びに履き口部の内側及び内底部について一度に効率良く洗浄を行い得るものではない。
【先行技術文献】
【特許文献】
【０００９】
【特許文献１】実用新案登録第３２０７７２９号公報
【発明の概要】
【発明が解決しようとする課題】
【００１０】
本発明は、履物の足前部挿入部又は内底部等を洗浄するための十分な前後方向動作を行い得る柄付き洗浄具を提供することを目的とする。
【課題を解決するための手段】
【００１１】
本発明の柄付き洗浄具は、次のように表すことができる。
【００１２】
(1) 足の足首より前の部分である足前部を挿入し得る足前部挿入部と、前記足前部挿入部に前記足前部を挿入した状態で足裏を上向きに支持し得る内底部と、その内底部の後端部から立ち上がる後端立上部と、前記足前部挿入部と前記後端立上部の間の内底部から少なくとも上方に開放している上方開放部を備える履物の前記足前部挿入部及び内底部の洗浄に用いることができる柄付き洗浄具であって、
少なくとも前記足前部挿入部及び内底部を洗浄するための洗浄域を上側及び下側に有する本体部と、
その本体部の後部に先端部が位置し、前記本体部よりも後上方に把持部が位置する柄部を備え、
本体部における下側の洗浄域の後端部から、柄部又は本体部が本体部の前端部の上下方向寸法の２倍以上の高さになる前後方向位置までの後向きの水平距離が、前記本体部の前端部の上下方向寸法の２倍未満であることにより、本体部の洗浄域により前記履物の足前部挿入部又は内底部を洗浄するための本体部の前後方向動作が前記履物の後端立上部により妨げられることが防がれることを特徴とする柄付き洗浄具。
【００１３】
履物の足前部挿入部の前端部の上下方向寸法は、一般に、履物の上方開放部の前後方向長さの半分よりも十分に小さいので、本体部における下側の洗浄域の後端部から、柄部又は本体部が本体部の前端部の上下方向寸法の２倍以上の高さになる前後方向位置までの後向きの水平距離が、本体部の前端部の上下方向寸法の２倍未満であることにより、本体部の下側の洗浄域を含む洗浄域により履物の足前部挿入部又は内底部等を洗浄するための本体部の十分な前後方向動作が履物の後端立上部により妨げられることが回避され、効率的に洗浄を行い得る。
【００１４】
(2) 上記上側の洗浄域のうち後部が、後方に向かって全体として又は部分的に上昇するものである上記(1)記載の柄付き洗浄具。
【００１５】
(3) 上記下側の洗浄域のうち後部が、後方に向かって全体として又は部分的に上昇するものである上記(1)又は(2)記載の柄付き洗浄具。
【００１６】
(4) 上記下側の洗浄域の後端部が、後方に凸の状態で後上方に湾曲するものである上記(1)乃至(3)の何れか１項に記載の柄付き洗浄具。
【００１７】
(5) 上記本体部は、上側及び下側以外の部分にも又は全体に洗浄域を有する上記(1)乃至(4)の何れか１項に記載の柄付き洗浄具。
【００１８】
(6) 上記本体部の横幅が、前部において後方部よりも広く形成されている上記(1)乃至(5)の何れか１項に記載の柄付き洗浄具。
【００１９】
(7) 上記柄部は、履物の足前部挿入部や内底部の洗浄作業において柄部自体又は柄部を把持する作業者の手に対し履物の後端立上部が妨げとなることを回避する上で、全体又は部分が、上向きに凸又は前上方向きに凸の形状をなすものである上記(1)乃至(6)の何れか１項に記載の柄付き洗浄具。
【発明の効果】
【００２０】
本発明の柄付き洗浄具によれば、本体部の下側の洗浄域を含む洗浄域により履物の足前部挿入部又は内底部等を洗浄するための本体部の十分な前後方向動作が履物の後端立上部により妨げられることが回避され、効率的に洗浄を行い得る。
【図面の簡単な説明】
【００２１】
【図１】柄付き洗浄具の側面図である。
【図２】柄付き洗浄具の斜視図である。
【図３】柄付き洗浄具の平面図である。
【図４】柄付き洗浄具の正面図である。
【図５】履物の斜視図である。
【発明を実施するための形態】
【００２２】
[1] 本発明の実施の形態を、図面を参照しつつ説明する。
【００２３】
図面は何れも本発明の実施の形態の一例としての柄付き洗浄具についてのものである。
【００２４】
この柄付き洗浄具Ｃは、本体部Ｂと柄部Ｄを備え、柄部Ｄの先端部Ｄ１は本体部Ｂの後部に位置し、柄部Ｄの把持部は、本体部Ｂよりも後上方に位置する。
【００２５】
この柄付き洗浄具Ｃは、足の足首より前の部分である足前部を挿入し得る足前部挿入部Ｓ１と、前記足前部挿入部Ｓ１に前記足前部を挿入した状態で足裏を上向きに支持し得る内底部Ｓ２と、その内底部Ｓ２の後端部から立ち上がる後端立上部Ｓ３と、前記足前部挿入部Ｓ１と前記後端立上部Ｓ３の間の内底部Ｓ２から少なくとも上方に開放している上方開放部Ｓ４（履き口）を備える履物Ｓ、主に短靴、特に、布又は人工皮革等の人造皮革からなる運動靴やこれに類するものの洗浄に用いるためのものであるが、その他の履物や履物以外の物の洗浄に用いることもできる。
【００２６】
(1) 本発明の柄付き洗浄具Ｃの本体部Ｂは、合成樹脂製であり、前端部Ｂ３から後方に向かって上側と下側が平行状に前後水平方向に沿い、後端部は水平面に対し４５乃至５０度程度の角度で後上方に向かって屈曲して突起部Ｂ１を形成している。本体部Ｂの後端部の下側は、後方に凸の状態で後上方に湾曲した後端部下側湾曲面Ｂａを形成し、本体部Ｂの後端部の上側は、後方に凹の状態で後上方に湾曲した後部上側湾曲面Ｂｂを形成している。本体部Ｂの横幅（前後方向に直交する方向の水平方向幅）は、後部はほぼ一定であり、前部には、両側方に湾曲膨出した湾曲膨出部Ｂ２を有する。本体部Ｂの前端部Ｂ３は平面視において前方に凸の湾曲状部に形成されている。
【００２７】
本体部Ｂの柄部Ｄが結合した部分を除く全外周部（上側、下側、前側、両側部、後側、及びその他の部分）には、履物Ｓの足前部挿入部Ｓ１及び内底部Ｓ２並びにその他の部分又は履物Ｓ以外の物を洗浄することができる洗浄域Ａを有する。
【００２８】
(2) 洗浄域Ａは、１本のブリッスルが、１０本のスプリットヤーンの束中に含まれる状態で、それらのブリッスルとスプリットヤーンが撚り合わせられてなるタフト用糸状材を基布（シート状の基材）に対しタフティングすることによりカットパイルが多数設けられてなるものからなり、柄部Ｄが結合した部分を除く本体部Ｂ全体を被覆している。スプリットヤーンは、ポリプロピレン原料を用いてフィルムを形成した後、１０ｍｍ幅程度にスリット加工を行ったものを、一軸延伸及びヒートセットした後、更にスリットフィルム内に網の目状に切れ目を入れる加工を行ったものである。
【００２９】
この洗浄域Ａにより、必要に応じ洗浄剤等を用いて対象箇所に対し摩擦又は押圧等するによって洗浄作用を発揮し得る。
【００３０】
本体部Ｂの後部上側湾曲面Ｂｂを覆う洗浄域Ａは、例えば、足前部挿入部Ｓ１内の上側（甲部側）のうち後部が後方の履き口（上方開放部Ｓ４）に向かって全体として上昇するものであるときに、その足前部挿入部Ｓ１内の上側のうち後部を効果的に洗浄し得る。
【００３１】
本体部Ｂの後端部下側湾曲面Ｂａを覆う洗浄域Ａは、履物Ｓの内底部Ｓ２から後端立上部Ｓ３の前面側にわたる部分の洗浄や、履物Ｓの外側の側面部の土踏まずの位置に対応する部分に形成された凹部の洗浄等に有効に利用することができる。
【００３２】
また、本体部Ｂの前部の両側方に湾曲膨出した湾曲膨出部Ｂ２を覆う洗浄域Ａにより、履物Ｓの足前部挿入部Ｓ１内の両側部付近を効果的に洗浄し得る。
【００３３】
(3) 柄部Ｄは、本体部Ｂの洗浄域Ａにおいて洗浄対象を洗浄する作業を行う者が把持して本体部Ｂを操作するためのものである。柄部Ｄの先端部Ｄ１は、本体部Ｂの後端部の突起部Ｂ１の上端部に連結しており、柄部Ｄは、先端部Ｄ１から水平面に対し４５乃至５０度程度の角度で後上方に伸びている。
【００３４】
(3-1) 柄部Ｄは、全体が上向きに凸の形状をなし、本体部Ｂにおける上側の洗浄域Ａの上端位置と同等の高さ位置から上側の洗浄域Ａより高い位置へ達する。
【００３５】
洗浄作業を行う者が柄部Ｄを把持する箇所は特定されておらす、柄部Ｄの適宜箇所を把持して本体部Ｂを操作し、洗浄作業を行うことができる。
【００３６】
(3-2) 柄部Ｄの水平方向幅は本体部Ｂの後部の水平方向幅の２分の１程度であり、柄部Ｄの軸線方向に直交する面における横方向に直交する方向（縦方向）寸法は、柄部Ｄの水平方向幅と同等である。
【００３７】
(4) 本体部Ｂにおける下側の洗浄域Ａの後端部から、柄部Ｄが本体部Ｂの前端部Ｂ３（図１における左端部）の上下方向寸法Ｈの２倍の高さ以上の高さになる前後方向位置までの後向きの水平距離Ｌは、本体部Ｂの前端部Ｂ３の上下方向寸法Ｈの２倍以下（１．１倍程度）である。
【００３８】
[2] 本発明の実施の形態を、上記以外の形態を含めて更に説明する。
【００３９】
本発明の柄付き洗浄具は、所定の履物又はその他の履物の洗浄に用いることができるものであり、本体部と柄部を備え、柄部の先端部は本体部の後部に位置し、柄部の把持部は、本体部よりも後上方に位置する。
【００４０】
(1) 所定の履物というのは、足の足首より前の部分である足前部を挿入し得る足前部挿入部と、前記足前部挿入部に前記足前部を挿入した状態で足裏を上向きに支持し得る内底部と、その内底部の後端部から立ち上がる後端立上部と、前記足前部挿入部と前記後端立上部の間の内底部から少なくとも上方に開放している上方開放部を備える履物である。
【００４１】
足前部というのは、足の足首より前の部分、すなわち、概ね足の甲部から爪先にわたる部分及びその下側の部分である。
【００４２】
前記足前部挿入部は、足前部全体を挿入し得るものに限らず、例えば、足前部の前方側部分を挿入し得るもの、足前部の爪先若しくは前端部を除いた部分又は足前部の後方側部分が挿入された状態で足前部の爪先、前端部又は前方側部分は露出するものであってもよい。
【００４３】
内底部の後端部から立ち上がる後端立上部は、靴などの履物において足の後端部（踵の上の部分）の外側部に面する又は足の後端部の外側部を覆う若しくは支持することができる部分であり、具体例として靴の腰革部やすべり部分等を挙げることができる。
【００４４】
上方開放部というのは、足前部挿入部と後端立上部の間の内底部から少なくとも上方に開放している部分であり、具体例としては靴の履き口を挙げることができる。
【００４５】
本発明の柄付き洗浄具は、所定の履物、特に、洗浄に適した履物（例えば布製の運動靴やその他の履物、合成樹脂製の履物等）の足前部挿入部及び内底部の洗浄に用いることができるものであるが、履物以外の洗浄にも用い得る。
【００４６】
(2) 本発明の柄付き洗浄具の本体部は、少なくとも履物の足前部挿入部及び内底部を洗浄するための洗浄域を上側及び下側に有する。
【００４７】
例えば、本体部（例えば、前端部から後方に向かって前後水平方向に沿う本体部）の後部に柄部の先端部が位置し、柄部の把持部が本体部よりも後上方に位置する状態において、本体部の上側及び下側に洗浄域を有するものとすることができる。
【００４８】
(2-1) 本体部は、上側及び下側以外に、例えば、前側、両方若しくは一方の側部、後側等のその他の部分にも或いは全体（柄部が結合した部分を除くものとすることができる）に洗浄域を有するものであってもよい。
【００４９】
本体部の上側の洗浄域、下側の洗浄域又はその他の洗浄域は、それぞれ、本体部の前方側から後端部に至るものであること、本体部の後方側から前端部に至るものであること、又は、本体部の前端部から後端部に至るものとすることができる。
【００５０】
本体部の下側の洗浄域は、本体部の下側の前方側（好ましくは前端）から後端に至るものであることが望ましい。本体部の一方又は両方の側部の洗浄域も同様である。
【００５１】
(2-2) 本体部は、例えば、合成樹脂、金属又はその他の材料からなる基体（例えば中空若しくは中実の塊状体、枠状体、棒状体等）に洗浄域を構成する材料を設けることにより（例えば、被覆、巻きつけ、タフト等の植え付け等により）、必要箇所に洗浄域を有するものとすることができる。
【００５２】
(2-3) 洗浄域というのは、必要に応じ洗浄剤（例えば、液状若しくは水溶液等の溶液状、ペースト状、又は固体状の洗浄剤）やその他の処理剤を用いて洗浄対象に対する摩擦や押圧等により洗浄作用又はその他の作用を発揮する部分であり、例えば、合成繊維等の化学繊維や天然繊維のモノフィラメント、紡績糸、撚糸、スプリットヤーンからなるパイル、毛羽、ブリッスル、編物若しくは織物等又はこれらの組み合わせの態様として用いたものとすることができる。組み合わせの一例として、１本又は複数本のブリッスルが、そのブリッスルの本数に比し多数の本数のスプリットヤーンの束中に含まれる状態で、それらのブリッスルとスプリットヤーンが撚り合わせられ又は引き揃えられてなるタフト用糸状材をシート状の基材に対しタフティングすることによりカットパイルが多数設けられてなるものを挙げることができる。
【００５３】
スプリットヤーンとは、一軸延伸フィルムに縦方向の切れ目が多数形成されることにより、幅方向に拡げたときに網の目状となる糸状体、又はこれに類するものを言う。例えば、ナイロンやポリプロピレン原料を用いてインフレーション法やＴダイ法によりフィルムを形成した後、１０ｍｍ幅程度にスリット加工を行ったものを、一軸延伸及びヒートセットした後、更にスリットフィルム内に網の目状に切れ目を入れる加工を行ったものを挙げることができる。撚りをかけたものとすることもできる。
【００５４】
(2-4) 本体部の上側は、例えば、前方に向かってほぼ水平状であるもの、全体として若しくは部分的に下降（やや下降を含む）するもの、全体として若しくは部分的に上昇（やや上昇を含む）するもの、又は、前部が後方部よりもやや高いものとすることができるが、これらに限るものではない。上側の洗浄域も同様である。
【００５５】
本体部の上側のうち後部は、例えば、後方に向かってほぼ水平状であるか又は全体として若しくは部分的に上昇（やや上昇を含む）するものとすることができる。上側の洗浄域のうち後部も同様とすることができる。上側の洗浄域のうち後部が後方に向かって全体として又は部分的に上昇（やや上昇を含む）するものである場合（好ましくは、後方に凹の状態で後上方に湾曲するものである場合、例えば、本体部の上側の後部が後方に凹の状態で後上方に湾曲した湾曲面を形成し、その湾曲面に沿って洗浄域を有する場合）、足前部挿入部内の上側（甲部側）のうち後部が後方（の上方開放部）に向かって全体として若しくは部分的に上昇（やや上昇を含む）するものであるときに、その洗浄域により、その足前部挿入部内の上側のうち後部を効果的に洗浄し得る。
【００５６】
本体部の上側の後端部は、例えば、後上方又は上方に突起する突起部とすることもできる。
【００５７】
本体部の上側の後端部は、全体に洗浄域を有するものとすることができる他、上側の洗浄域の後端部よりも後方に本体部の上側の後端部が位置するものとすることもできる。後者の場合、本体部の後端部は、例えば、上側の洗浄域の後端部より高いものとすること又は同等若しくは低いものとすることができる。
【００５８】
(2-5) 本体部の下側は、前方に向かってほぼ水平状であるもの、全体として若しくは部分的にやや上昇するもの、全体として若しくは部分的にやや下降するもの、又は、前部が後方部よりもやや低いものとすることができるが、これらに限るものではない。下側の洗浄域も同様である。
【００５９】
本体部の下側のうち後部は、例えば、後方に向かってほぼ水平状であるか又は全体として若しくは部分的に上昇（やや上昇を含む）するものとすることができる。下側の洗浄域のうち後部も同様とすることができる。下側の洗浄域のうち後部が、後方に向かって全体として又は部分的に上昇（やや上昇を含む）するものである場合（好ましくは、下側の洗浄域の後端部が、後方に凸の状態で後上方に湾曲するものである場合、例えば、本体部の後端部の下側部が後方に凸の状態で後上方に湾曲した後端部下側湾曲面を形成し、その後端部下側湾曲面に沿って洗浄域を有する場合）、その洗浄域を、履物の内底部から後端立上部の前面側にわたる部分の洗浄や、履物の外側の側面部（例えば土踏まずの位置に対応する部分）に形成された凹部の洗浄等に有効に利用することができる。
【００６０】
本体部の下側の後端部は、全体に洗浄域を有するものとすることができる他、下側の洗浄域の後端部よりも後方に本体部の下側の後端部が位置するものとすることもできる。後者の場合、本体部の後端部は、例えば、下側の洗浄域の後端部より高いものとすること又は同等とすることができる。
【００６１】
(2-6) 本体部の前端部は、例えば、上側及び下側が共に水平状に形成されているものとすること、上側が後方部よりもやや高く形成されているものとすること、又は、下側が後方部よりもやや低く形成されているものとすることができ、また例えば、平面視において前方に凸の湾曲状に形成されているものとすることができる。
【００６２】
本体部の前端部には、上側、下側、前側及び側部を含む全体に洗浄域を有することが望ましい。
【００６３】
(2-7) 本体部の横幅（前後方向に直交する方向の水平方向幅）は、例えば、前部において後方部よりも広く形成されている（例えば両側方に膨出［例えば湾曲膨出］するよう形成されている）ものとすることや、前後方向においてほぼ一定であるものとすることや、後部において前方部よりも広く形成されているものとすることができる。
【００６４】
本体部の側部には、全体に洗浄域を有することが望ましい。
【００６５】
(3) 柄部は、本体部の洗浄域において履物の足前部挿入部や内底部又はその他の洗浄対象を洗浄する上で、洗浄作業を行う者が把持して本体部を操作するためのものである。
【００６６】
柄部の先端部は本体部の後部に位置する。柄部の先端部と本体部は、例えば一体状をなすものであってもよく、本体部の後部に柄部の先端部が連結されたものであってもよい。
【００６７】
(3-1) 柄部は、履物の足前部挿入部や内底部の洗浄作業において柄部自体又は柄部を把持する作業者の手に対し履物の後端立上部が妨げとなることを回避する上で、全体又は部分が、上向きに凸又は前上方向きに凸の形状をなすことが望ましい。
【００６８】
(3-2) 柄部は、例えば、本体部における上側の洗浄域より低い位置から高い位置へ達するものとすること、本体部における上側の洗浄域と同等の高さ位置から上側の洗浄域より高い位置へ達するものとすること、又は、本体部における上側の洗浄域より高い位置から更に高い位置へ達するものとすることができる。
【００６９】
(3-3) 柄部の先端部は、例えば、本体部の上側の後端部、本体部の上側の後端部と本体部の後側の上部とにわたる部分、又は本体部の後側の上部に位置するものとすることもできる。これらの場合、本体部の上側の洗浄域、下側の洗浄域及びその他の洗浄域を、何れも例えば本体部の前方側（又は前端部）から後端部まで設けるものとすることができる。
【００７０】
(3-4) 柄部の水平方向幅は本体部の水平方向幅の例えば５分の１乃至４分の３程度とすることができる。柄部の軸線方向に直交する面における横方向に直交する方向（縦方向）寸法は、例えば前記水平方向幅と同等とすることができる。
【００７１】
(3-5) 洗浄作業を行う者が柄部を把持する把持部は、本体部よりも後上方に位置するものとすることができるが、特定の位置であることは必ずしも要しない。把持部は、例えば柄部の基端側の所定箇所に位置するものとすることや、柄部の基端部付近に位置するものとすることができる。把持部は、柄部における他の部分と異なる特定の形態（例えば複数本の手指が並んだ状態での把持に対応する形態）とすることができる他、他の部分と同様の形態とすることもできる。
【００７２】
(4) 本体部における下側の洗浄域の後端部（例えば洗浄域が後方に向かって上昇するものである場合はその洗浄域の後端部）から、柄部又は本体部が本体部の前端部の上下方向寸法の２倍以上の高さになる前後方向位置までの後向きの水平距離は、本体部の前端部の上下方向寸法の２倍未満であるものとすることができる。
【００７３】
本体部の前端部は、履物の足前部挿入部のうち、足の爪先付近が位置する部分に対応する。履物の足前部挿入部のうち足の爪先付近の高さは、一般に、履物の上方開放部の前後方向長さの半分よりも十分に小さく、履物の後端立上部の高さの半分程度以下である。
【００７４】
そのため、本体部における下側の洗浄域の後端部から、柄部又は本体部が本体部の前端部の上下方向寸法の２倍以上の高さになる前後方向位置までの後向きの水平距離が、本体部の前端部の上下方向寸法の２倍未満であることにより、本体部の下側の洗浄域を含む洗浄域により履物の足前部挿入部又は内底部等を洗浄するための本体部の十分な前後方向動作が履物の後端立上部により妨げられることが回避され、例えば、履物の足前部挿入部に本体部の少なくとも前部を挿入した状態で、履物の足前部挿入部の上側及び下側、並びに例えば両側部及び上方開放部（履き口部）の内側を、可及的に一度に洗浄することができる。
【００７５】
柄部が、その先端部から後上方に伸びた位置において、上側の洗浄域以上の高さになる場合、柄部の先端部から後上方に向かう角度は、例えば水平面に対し３５度以上とすることができる。好ましくは４０度以上であり、例えば４５度乃至７０度とすることができる。
【符号の説明】
【００７６】
Ａ    洗浄域
Ｂ    本体部
Ｂ１  突起部
Ｂ２  湾曲膨出部
Ｂ３  前端部
Ｂａ  後端部下側湾曲面
Ｂｂ  後部上側湾曲面
Ｃ    柄付き洗浄具
Ｄ    柄部
Ｄ１  先端部
Ｈ    前端部の上下方向寸法
Ｌ    水平距離
Ｓ    履物
Ｓ１  足前部挿入部
Ｓ２  内底部
Ｓ３  後端立上部
Ｓ４  上方開放部
【図１】
2020151405.tif 000003
【図２】
2020151405.tif 000004
【図３】
2020151405.tif 000005
【図４】
2020151405.tif 000006
【図５】
2020151405.tif 000007